(57)【特許請求の範囲】
【請求項１】
ピストンの上面に凹設された中心部に略円錐台状の凸部を有するキャビティからなる浅皿型燃焼室と、前記浅皿型燃焼室の上方に同軸で配置されたインジェクタとからなり、
前記キャビティの開口径に対する深さの比が２０〜２５％の範囲であるとともに、該キャビティの開口面積に対する前記凸部の上面積の比が９〜１６％の範囲であり、
前記ピストンが上死点近傍にあるときに、前記インジェクタの噴射先が該凸部の周縁部となるように構成した燃焼室構造を有する直噴式エンジンの制御装置において、
前記制御装置は、前記インジェクタの燃料噴射を制御する制御装置であり、
前記制御装置は、前記エンジンの運転状態に基づいて前記インジェクタからの燃料噴射量を決定し、前記燃料噴射量を噴射するのに必要な噴射時間を求め、前記噴射時間に相当するクランク角度範囲Ｘを算出する一方で、
前記エンジンのエンジン回転数に基づいて前記インジェクタの噴射先が前記凸部の周縁部となるクランク角度範囲Ｙを算出して、
前記クランク角度範囲Ｘの始点から始まって２０％の範囲を最小範囲とし、前記クランク角度範囲Ｘの始点から始まって５０％の範囲を最大範囲とする範囲の全体が前記クランク角度範囲Ｙと重複するように、又は、前記クランク角度範囲Ｘの始点から始まって３０％の範囲を最小範囲とし、前記クランク角度範囲Ｘの始点から始まって４０％の範囲を最大範囲とする範囲の全体が前記クランク角度範囲Ｙと重複するように、前記インジェクタからの燃料噴射の開始時期を調整することを特徴とする直噴式エンジンの制御装置。
【発明の詳細な説明】
【技術分野】
【０００１】
本発明は直噴式エンジンの制御装置に関し、更に詳しくは、燃費を悪化させることなく、良好な燃焼状態を維持しつつ熱損失を低減することができる直噴式エンジンの制御装置に関する。
【背景技術】
【０００２】
車両の動力源として用いられているディーゼルエンジンにおいては、地球温暖化や化石燃料の枯渇などの喫緊の課題に対応するため、より一層の燃費改善が求められている。燃費を改善するために、ディーゼルエンジンの熱効率を向上するには、熱損失を低減させることが必須である。
【０００３】
この熱損失を低減する手法には様々なものがあるが（例えば、特許文献１を参照）、その１つとして、浅皿型燃焼室と広角の噴射角度を有するインジェクタとを組み合わせることで、燃焼室の壁面と火炎の高温ガスとの接触を抑制することが考えられる。
【０００４】
しかしながら、通常の浅皿型燃焼室において理論熱効率の向上を図るために圧縮比を高めると、高負荷運転条件下で空気利用率が顕著に低下して、従来のリエントラント型の燃焼室の場合よりも燃焼状態が悪化してしまうとともに、熱損失の低減効果も得られなくなるため、結果として熱効率が低下してしまうという問題があった。
【０００５】
上記の問題を解決するために、本発明者は、図３に示すような、直噴式エンジンの燃焼室構造２０を考案した。この燃焼室構造２０は、ピストン２１の上面２２に凹設された中心部に略円錐台状の凸部２３を有するキャビティ２４からなる浅皿型燃焼室２５と、その浅皿型燃焼室２５の上方に同軸で配置されたインジェクタ２６とからなり、キャビティ２４の開口径Ｄに対する深さＨの比が２０〜２５％の範囲であるとともに、キャビティ２４の開口面積Ｓに対する凸部２３の上面積Ａの比が９〜１６％の範囲であって、かつピストン２１が上死点近傍にあるときに、インジェクタ２６の噴射先２７が凸部２３の周縁部２３ａとなるように構成されている。
【０００６】
このような燃焼室構造２０により、燃焼室中心部の空気を効果的に利用するとともに、燃料噴霧の壁面側での燃焼が抑制されるため、良好な燃焼状態を維持しつつ、熱損失の低減を図ることが可能となる。
【０００７】
しかしながら、上記のような燃焼室構造２０では、図４の比較評価結果に示すように、インジェクタ２６から燃料噴射が開始される時期を早くすると、従来のリエントラント型燃焼室の場合よりも燃費が悪化してしまうことが明らかになった。
【０００８】
上記の問題について、本発明者が鋭意研究を進めたところ、燃料噴射の開始時期を早くし過ぎると、燃料室中心部の壁面に衝突する燃料量が増加して、その燃料室中心部に過濃度の燃料領域が形成されるため、燃焼外周部の空気を効果的に利用できずに燃焼が悪化することが主たる原因であることを見出した結果、本発明を完成させるに至ったものである。
【先行技術文献】
【特許文献】
【０００９】
【特許文献１】特開２０１４−１５８４５号公報
【発明の概要】
【発明が解決しようとする課題】
【００１０】
本発明の目的は、燃費を悪化させることなく、良好な燃焼状態を維持しつつ熱損失を低減することができる直噴式エンジンの制御装置を提供することにある。
【課題を解決するための手段】
【００１１】
上記の目的を達成する本発明の直噴式エンジンの制御装置は、ピストンの上面に凹設された中心部に略円錐台状の凸部を有するキャビティからなる浅皿型燃焼室と、前記浅皿型燃焼室の上方に同軸で配置されたインジェクタとからなり、前記キャビティの開口径に対する深さの比が２０〜２５％の範囲であるとともに、該キャビティの開口面積に対する前記凸部の上面積の比が９〜１６％の範囲であり、前記ピストンが上死点近傍にあるときに、前記インジェクタの噴射先が該凸部の周縁部となるように構成した燃焼室構造を有する直噴式エンジンの制御装置において、前記制御装置は、前記インジェクタの燃料噴射を制御する制御装置であり、前記制御装置は、前記エンジンの運転状態に基づいて前記インジェクタからの燃料噴射量を決定し、前記燃料噴射量を噴射するのに必要な噴射時間を求め、前記噴射時間に相当するクランク角度範囲Ｘを算出する一方で、前記エンジンのエンジン回転数に基づいて前記インジェクタの噴射先が前記凸部の周縁部となるクランク角度範囲Ｙを算出して、前記クランク角度範囲Ｘの始点から始まって２０％の範囲を最小範囲とし、前記クランク角度範囲Ｘの始点から始まって５０％の範囲を最大範囲とする範囲の全体が前記クランク角度範囲Ｙと重複するように、又は、前記クランク角度範囲Ｘの始点から始まって３０％の範囲を最小範囲とし、前記クランク角度範囲Ｘの始点から始まって４０％の範囲を最大範囲とする範囲の全体が前記クランク角度範囲Ｙと重複するように、前記インジェクタからの燃料噴射の開始時期を調整することを特徴とするものである。
【発明の効果】
【００１２】
本発明の直噴式エンジンの制御装置によれば、燃焼時において燃焼室中心部の空気の利用が促進されるとともに、燃料噴霧の壁面側での燃焼が抑制されてガスが高温にならないことに加えて、燃焼室中心部の空気を利用する燃料量を適切に調整して、その燃焼室中心部に過濃度の燃料領域が形成されるのを防止するので、燃焼室外周部の空気を効果的に利用できるため、燃費を悪化させることなく、良好な燃焼状態を維持しつつ熱損失を低減することができる。
【図面の簡単な説明】
【００１３】
【図１】本発明の実施形態からなる直噴式エンジンの燃焼室構造の半断面図である。
【図２】インジェクタの燃料噴射の開始時期の設定方法を説明する模式図である。
【図３】本発明者が従来考案した直噴式エンジンの浅皿型燃焼室構造の半断面図である。
【図４】図３に示す燃焼室構造と、従来のリエントラント型燃焼室の構造とを比較評価した結果を示すグラフである。
【発明を実施するための形態】
【００１４】
以下に、本発明の実施の形態について、図面を参照して説明する。図１は、本発明の実施形態からなる直噴式エンジンの燃焼室構造を示す。
【００１５】
この直噴式エンジンの燃焼室構造１（以下、単に「燃焼室構造」と言う。）は、シリンダボア（図示せず）内を往復動するピストン２の上面３の中央部に凹設されたキャビティ４からなる浅皿型燃焼室５と、その浅皿型燃焼室５と同軸の上方に配置されたインジェクタ６とから構成されている。
【００１６】
キャビティ４の中心部には、略円錐台状の凸部７が設けられている。キャビティ４の開口径Ｄに対する深さＨの比（Ｈ／Ｄ）は２０〜２５％の範囲になっているとともに、キャビティ４の開口面積Ｓに対する凸部７の上面積Ａの比（Ａ／Ｓ）は９〜１６％の範囲になっている。
【００１７】
また、インジェクタ６の先端部には、燃料を噴射する燃料噴射口８が形成されている。この燃料噴射口８は、ピストン２が上死点近傍にあるときには、その噴射先（燃料噴射口８の延長先９）が凸部７の周縁部７ａになるように設定されている。なお、ここでいう上死点近傍とは、クランク角が−１０〜１０°ＡＴＤＣとなる範囲を指す。
【００１８】
インジェクタ６は、制御手段であるＥＣＵ１０により、エンジン（図示せず）の運転状態に応じて、燃料噴射量、燃料噴射圧力及び燃料噴射の開始時期などが制御される。
【００１９】
この燃焼室構造１において、ＥＣＵ１０は、燃料噴射期間中における燃料噴射量の２０〜５０％、より好ましくは３０〜４０％の燃料量が、凸部７の周縁部７ａの壁面に衝突するようにインジェクタ６を制御する。
【００２０】
具体的なインジェクタ６の制御内容を、図２に基づいて以下に説明する。
【００２１】
ＥＣＵ１０は、エンジンの運転状態に基づいてインジェクタ６からの燃料噴射量Ｆ（台形の全面積に相当）を決定する。次に、インジェクタ６の燃料噴射圧力Ｐを考慮して、その燃料噴射量Ｆを噴射するのに必要な噴射時間Ｔを求めて、その噴射時間Ｔに相当するクランク角度範囲Ｘを算出する。
【００２２】
その一方で、ＥＣＵ１０は、エンジン回転数と燃焼室構造１の幾何学的形状とに基づいて、インジェクタ６から噴射された燃料が、凸部７の周縁部７ａの壁面に衝突している間のクランク角度範囲Ｙを算出する。
【００２３】
そして、クランク角度範囲Ｙの間に、燃料噴射量Ｆの２０〜５０％（図２の例では、約３０％）の噴射量Ｐ（台形の重斜線部に相当）が噴射されるように、燃料噴射の開始時期Ｓを調整する。つまり、クランク角度範囲Ｘの始点から２０〜５０％の部分が、クランク角度範囲Ｙと重複するように、燃料噴射の開始時期Ｓを進角又は遅角させるのである。
【００２４】
このように燃焼室構造１を構成することにより、燃焼室中心部の空気を利用する燃料量が、燃料噴射期間中における燃料噴射量の２０〜５０％、より好ましくは３０〜４０％に調整されて、その燃焼室中心部に過濃度の燃料領域が形成されるのを防止するので、燃焼室外周部の空気を効果的に利用できるため、燃費の悪化を防ぐことができる。
【００２５】
また、凸部７の周縁部７ａの壁面に衝突しない燃料噴霧が、燃焼後半における横方向から見て反時計回りの流れの形成を促進するので、燃焼室外周部の空気を更に効果的に利用できるため、燃費の悪化をより防ぐことができる。
【符号の説明】
【００２６】
１  燃焼室構造
２  ピストン
３  上面
４  キャビティ
５  浅皿型燃焼室
６  インジェクタ
７  凸部
７ａ  周縁部
８  燃料噴射口
９  延長先
１０  ＥＣＵ
【図１】
0006592931.tif 000002
【図２】
0006592931.tif 000003
【図３】
0006592931.tif 000004
【図４】
0006592931.tif 000005